(57)【要約】【課題】薬剤を事前に登録することができる薬剤登録装置およびプログラムを提供する。【解決手段】薬剤登録装置は、第１の入力手段と、第２の入力手段と、第３の入力手段と、記憶制御手段と、を備える。第１の入力手段は、患者を識別する患者識別情報の入力を受け付ける。第２の入力手段は、薬剤と当該薬剤の使用量とを含む薬剤情報の入力を受け付ける。第３の入力手段は、薬剤情報にかかる薬剤が使用されたものかあるいは使用の見込まれるものかの入力を受け付ける。記憶制御手段は、薬剤情報にかかる薬剤が使用されたものであることを受け付けた場合には、当該薬剤情報を患者識別情報に対応付けて記憶部に記憶させて使用された薬剤としての登録を確定し、薬剤情報にかかる薬剤が使用の見込まれるものであることを受け付けた場合には、当該薬剤情報を患者識別情報に対応付けて使用された薬剤としての登録を保留して記憶部に記憶させる。【選択図】図１
2015194953.tif 000002
【特許請求の範囲】
【請求項１】
患者を識別する患者識別情報の入力を受け付ける第１の入力手段と、
薬剤と当該薬剤の使用量とを含む薬剤情報の入力を受け付ける第２の入力手段と、
前記第２の入力手段で受け付けた前記薬剤情報にかかる前記薬剤が使用されたものかあるいは使用の見込まれるものかの入力を受け付ける第３の入力手段と、
前記第２の入力手段で受け付けた前記薬剤情報にかかる前記薬剤が使用されたものであることを前記第３の入力手段で受け付けた場合には、当該薬剤情報を前記第１の入力手段で受け付けた前記患者識別情報に対応付けて記憶部に記憶させて使用された薬剤としての登録を確定し、前記第２の入力手段で受け付けた前記薬剤情報にかかる前記薬剤が使用の見込まれるものであることを前記第３の入力手段で受け付けた場合には、当該薬剤情報を前記第１の入力手段で受け付けた前記患者識別情報に対応付けて使用された薬剤としての登録を保留して前記記憶部に記憶させる記憶制御手段と、
を備える薬剤登録装置。
【請求項２】
前記第１の入力手段から入力された前記患者識別情報が、前記記憶部に記憶された使用された薬剤としての登録を保留された前記薬剤情報に対応した前記患者識別情報と同一である場合に、前記薬剤情報を継続するか否かを確認する画面を表示させる第１の表示制御手段を更に備えた、
請求項１に記載の薬剤登録装置。
【請求項３】
前記記憶部に記憶された使用された薬剤としての登録を保留された前記薬剤情報を検索する入力を受け付ける第４の入力手段を更に備えた、
請求項１又は２に記載の薬剤登録装置。
【請求項４】
前記第３の入力手段は、前記薬剤情報を印刷する操作が入力された場合に、前記第２の入力手段で受け付けた前記薬剤情報にかかる前記薬剤が使用されたものとする、
請求項１乃至３の何れか１項に記載の薬剤登録装置。
【請求項５】
前記第３の入力手段は、前記薬剤情報を破棄する入力を更に受け付け、
前記記憶制御手段は、前記記憶部に記憶された前記薬剤情報を消去する、
請求項１乃至４の何れか１項に記載の薬剤登録装置。
【請求項６】
コンピュータを、
患者を識別する患者識別情報の入力を受け付ける第１の入力手段と、
薬剤と当該薬剤の使用量とを含む薬剤情報の入力を受け付ける第２の入力手段と、
前記第２の入力手段で受け付けた前記薬剤情報にかかる前記薬剤が使用されたものかあるいは使用の見込まれるものかの入力を受け付ける第３の入力手段と、
前記第２の入力手段で受け付けた前記薬剤情報にかかる前記薬剤が使用されたものであることを前記第３の入力手段で受け付けた場合には、当該薬剤情報を前記第１の入力手段で受け付けた前記患者識別情報に対応付けて記憶部に記憶させて使用された薬剤としての登録を確定し、前記第２の入力手段で受け付けた前記薬剤情報にかかる前記薬剤が使用の見込まれるものであることを前記第３の入力手段で受け付けた場合には、当該薬剤情報を前記第１の入力手段で受け付けた前記患者識別情報に対応付けて使用された薬剤としての登録を保留して前記記憶部に記憶させる記憶制御手段と、
として機能させるプログラム。
【発明の詳細な説明】
【技術分野】
【０００１】
本発明の実施形態は、薬剤登録装置およびプログラムに関する。
【背景技術】
【０００２】
病院等の医療現場において、手術や検査などで使用された薬剤の費用は、通常、患者とその患者が加入している健康保険の組合に対して請求される。このため医療現場では、使用した薬剤の品名、数量等を正確に把握する必要がある。
【０００３】
従来、例えば手術の際に使用された薬剤の数量を計量する作業は、看護師等の人手に頼らざるを得ない。このため、作業者の負担が大きい。また、手術中に患者の様態が急変するなど医療現場が混乱した場合には、数量の計数ミスや計数値の転記ミス等が発生し易く、ひいては使用薬剤に係る費用の請求漏れなどが発生する場合がある。
【０００４】
しかしながら、患者や、手術内容によっては、事前に手術で使用される薬剤が分かっている場合がある。
【発明の概要】
【発明が解決しようとする課題】
【０００５】
本発明が解決しようとする課題は、手術や検査などで使用されることが分かっている薬剤を使用に先立って事前に登録することができる薬剤登録装置およびプログラムを提供することである。
【課題を解決するための手段】
【０００６】
実施形態の薬剤登録装置は、第１の入力手段と、第２の入力手段と、第３の入力手段と、記憶制御手段と、を備える。前記第１の入力手段は、患者を識別する患者識別情報の入力を受け付ける。前記第２の入力手段は、薬剤と当該薬剤の使用量とを含む薬剤情報の入力を受け付ける。前記第３の入力手段は、前記第２の入力手段で受け付けた前記薬剤情報にかかる前記薬剤が使用されたものかあるいは使用の見込まれるものかの入力を受け付ける。前記記憶制御手段は、前記第２の入力手段で受け付けた前記薬剤情報にかかる前記薬剤が使用されたものであることを前記第３の入力手段で受け付けた場合には、当該薬剤情報を前記第１の入力手段で受け付けた前記患者識別情報に対応付けて記憶部に記憶させて使用された薬剤としての登録を確定し、前記第２の入力手段で受け付けた前記薬剤情報にかかる前記薬剤が使用の見込まれるものであることを前記第３の入力手段で受け付けた場合には、当該薬剤情報を前記第１の入力手段で受け付けた前記患者識別情報に対応付けて使用された薬剤としての登録を保留して前記記憶部に記憶させる。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、基本情報テーブルのデータ構成を示す説明図である。
【図５】図５は、使用薬剤情報テーブルのデータ構成を示す説明図である。
【図６】図６は、薬剤登録装置の機能構成を示すブロック図である。
【図７】図７は、使用薬剤登録処理の流れを示すフローチャートである。
【図８】図８は、ログイン画面の一例を示す説明図である。
【図９】図９は、患者登録画面の一例を示す説明図である。
【図１０】図１０は、薬剤登録画面の一例を示す説明図である。
【図１１】図１１は、薬剤登録画面の一例を示す説明図である。
【図１２】図１２は、保留確認画面の一例を示す説明図である。
【図１３】図１３は、訂正処理の流れを示すフローチャートである。
【図１４】図１４は、保留継続画面の一例を示す説明図である。
【図１５】図１５は、履歴確認画面の一例を示す説明図である。
【図１６】図１６は、履歴詳細画面の一例を示す説明図である。
【図１７】図１７は、履歴訂正画面の一例を示す説明図である。
【図１８】図１８は、業務選択画面の一例を示す説明図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。
【００１０】
本実施形態においては、薬剤登録装置２０は、手術室に配置される。薬剤登録装置２０は、事前に手術で使用される薬剤が判明している場合には、看護師等によって使用に先立って事前に薬剤が登録される。そして、手術が終了後に、薬剤登録装置２０は、手術で使用された未登録の薬剤が登録される。
【００１１】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１２】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１３】
装置本体部２４は、オペレータとなる看護師が各種操作を行うとともに、使用された薬剤のリスト等の各種情報を表示可能なタッチパネルディスプレイ２１を備えている。
【００１４】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１５】
なお、スキャナ２２は、図２に示すようなテーブル上に載置する形状に限るものではなく、床上に立設させるスタンド形状であってもよい。
【００１６】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１７】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１８】
ここで、タッチパネルディスプレイ２１、スキャナ２２、プリンタ２３、スピーカ３７及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、音による報知などに使用される。
【００１９】
なお、タッチパネルディスプレイ２１は、表示部であるディスプレイ３５及びタッチパネル３６を主体に構成されている。
【００２０】
また、記憶部である外部記憶装置３４は、基本情報テーブルＴ１と、使用薬剤情報テーブルＴ２とを備える。基本情報テーブルＴ１は、使用された薬剤の登録に関する基本情報を記憶したテーブルである。使用薬剤情報テーブルＴ２は、使用された薬剤と薬剤使用量とが登録された使用薬剤情報を記憶したテーブルである。そして、基本情報と、使用薬剤情報とは、後述する識別情報によって関連付けられる。
【００２１】
ここで、図４は、基本情報テーブルＴ１のデータ構成を示す説明図である。図４に示すように、基本情報テーブルＴ１の基本情報は、識別情報と、伝票番号と、患者情報と、操作者情報とを備える。識別情報は、基本情報を識別可能な情報である。例えば、識別情報は、基本情報が生成された順番で生成されるシーケンス番号である。伝票番号は、基本情報と、使用薬剤情報とを用いて印刷される伝票を識別可能な情報である。そして、伝票番号は、薬剤登録が完了し、薬剤が患者情報の患者に使用されたことを確定する入力がされると採番される。使用された薬剤としての登録が保留されている場合に、伝票番号は、０が登録される。すなわち、伝票番号が０の場合には、使用された薬剤としての登録が保留されていると識別することができる。患者情報は、薬剤を使用した患者に関する情報である。例えば、患者情報は、患者を識別可能な患者コードや、患者の性別や、患者の年齢や、患者の氏名などである。操作者情報は、薬剤登録装置２０を操作した操作者に関する情報である。例えば、操作者情報は、操作者を識別可能な操作者コードや、患者の氏名などである。
【００２２】
ここで、図５は、使用薬剤情報テーブルＴ２のデータ構成を示す説明図である。図５に示すように、使用薬剤情報テーブルＴ２の使用薬剤情報は、識別情報と、１又は複数の薬剤コードと、薬剤コードに対応した薬剤使用量を備える。識別情報は、前述の基本情報の識別情報と同じである。すなわち、基本情報と、使用薬剤情報とは、識別情報によって関連付けられている。薬剤コードは、使用され、登録された薬剤を識別可能な情報である。薬剤使用量は、使用され、登録された薬剤の使用量を示す情報である。そして、薬剤使用量は、薬剤コードごとに備える。
【００２３】
このような構成により、薬剤登録装置２０のＭＰＵ３１は、ＲＯＭ３２や外部記憶装置３４に記憶された制御プログラムに従って動作することで、使用された薬剤の登録支援を行う。
【００２４】
次に、実施形態にかかる薬剤登録装置２０が有する特徴的な機能について説明する。図６は、薬剤登録装置２０の機能構成を示すブロック図である。ＭＰＵ３１は、ＲＯＭ３２や外部記憶装置３４に記憶された制御プログラムに従って動作することで、図６に示すように、入力部３１１と、登録部３１２と、記憶制御部３１３と、操作入力部３１４と、表示制御部３１５と、印字制御部３１６と、として機能する。
【００２５】
入力部３１１は、スキャナ２２や、タッチパネルディスプレイ２１からの入力を受け付ける。具体的には、第１の入力手段及び第２の入力手段である入力部３１１は、操作者コードや、患者コードや、薬剤コードの入力を受け付ける。入力部３１１は、スキャナ２２がスキャンした撮像画像から、操作者コードや、患者コードや、薬剤コードの入力を受け付ける。または、入力部３１１は、タッチパネルディスプレイ２１に表示された置数キーから操作者コードや、患者コードや、薬剤コードの入力を受け付ける。また、入力部３１１は、薬剤の使用量の入力を受け付ける。
【００２６】
または、入力部３１１は、使用される薬剤に付されたコードシンボルのコード情報または使用される薬剤の全部または一部の外面情報の入力を受け付ける。バーコードや二次元コードなどのコードシンボルから薬剤コードを検出する処理については、従来からある技術なのでここでの説明は省略する。なお、薬剤を識別する識別情報は、使用された薬剤に付されているコードシンボルに記載されたコード番号を手入力で入力してもよい。
【００２７】
登録部３１２は、入力部３１１から入力された操作者コードや、患者コードや、薬剤コードを基本情報や、使用薬剤情報に登録する。具体的には、登録部３１２は、操作者コードや、患者コードが入力された場合には、基本情報に登録する。そして、登録部３１２は、薬剤コードが入力された場合には、薬剤登録をする際に設定された患者コードを有する基本情報に関連付けられた使用薬剤情報に登録する。
【００２８】
記憶制御手段である記憶制御部３１３は、外部記憶装置３４の基本情報テーブルＴ１及び使用薬剤情報テーブルＴ２に基本情報及び使用薬剤情報を記憶させる。具体的には、記憶制御部３１３は、使用薬剤情報にかかる薬剤が使用されたものであることを受け付けた場合には、使用された薬剤としての登録を確定して、使用薬剤情報を基本情報の患者コードに対応付けて外部記憶装置３４に記憶させる。この時、記憶制御部３１３は、伝票番号を採番して使用薬剤情報を登録する。
【００２９】
また、使用薬剤情報にかかる薬剤が使用の見込まれるものであることを受け付けた場合には、使用された薬剤としての登録を保留して、使用薬剤情報を基本情報の患者コードに対応付けて外部記憶装置３４に記憶させる。この時、記憶制御部３１３は、伝票番号を０にして使用薬剤情報を登録する。これにより、使用薬剤情報が、使用された薬剤としての登録が確定した使用薬剤情報、又は使用された薬剤としての登録が保留した使用薬剤情報の何れに該当するかが識別可能となる。
【００３０】
操作入力部３１４は、タッチパネルディスプレイ２１などから操作の入力を受け付ける。
【００３１】
表示制御部３１５は、表示部であるディスプレイ３５に、登録部３１２が登録した薬剤情報の表示を制御する。
【００３２】
印字制御部３１６は、印字部であるプリンタ２３を制御して、登録部３１２が登録した基本情報や、使用薬剤情報を伝票に印字させる。
【００３３】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。図７は、薬剤登録装置２０のＭＰＵ３１が制御プログラムに従って実行する使用薬剤登録処理の流れを示すフローチャートである。
【００３４】
薬剤登録装置２０のＭＰＵ３１は、初期状態として、ディスプレイ３５にログイン画面を表示する（ステップＳ１）。ここで、図８は、ログイン画面Ｇ１の一例を示す説明図である。ログイン画面Ｇ１には、図８に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００３５】
したがって、操作者（看護師）が、自己のＩＤカードに付された看護師ＩＤのコードシンボルをスキャナ２２の前にかざすと、薬剤登録装置２０のＭＰＵ３１は、監査者コードを基本情報に登録する（ステップＳ２）。
【００３６】
次いで、薬剤登録装置２０のＭＰＵ３１は、ディスプレイ３５の表示画面に患者登録画面を表示する（ステップＳ３）。ここで、図９は、患者登録画面Ｇ２の一例を示す説明図である。患者登録画面Ｇ２には、図９に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００３７】
また、患者登録画面Ｇ２には、図９に示すように、業務選択ボタンＢ２１と、置数ボタンＢ２２と、保留検索ボタンＢ２３と、次へボタンＢ２４と、患者コード表示領域Ｇ２１と、を備える。業務選択ボタンＢ２１は、後述する業務選択画面を表示させる場合に押下するボタンである。置数ボタンＢ２２は、０から９までの数字を入力するボタンと、入力した数字を一文字削除するボタンとを備える。置数ボタンＢ２２は、患者コードの手入力に用いられる。保留検索ボタンＢ２３は、外部記憶装置３４から使用された薬剤としての登録が保留された使用薬剤情報を検索する場合に押下するボタンである。保留検索ボタンＢ２３は、外部記憶装置３４に登録が保留された使用薬剤情報がある場合に、選択可能となる。一方、外部記憶装置３４に登録が保留された使用薬剤情報がない場合には、保留検索ボタンＢ２３は、選択不可能となる。具体的には、保留検索ボタンＢ２３は、グレーアウトなどにより選択不可能となる。次へボタンＢ２４は、入力された患者コードを基本情報に登録し、次の画面を表示させる場合に押下するボタンである。患者コード表示領域Ｇ２１は、入力された患者コードを表示する領域である。
【００３８】
患者登録画面Ｇ２の次へボタンＢ２４の押下が検出されると、薬剤登録装置２０のＭＰＵ３１は、患者コードを基本情報に登録する（ステップＳ４）。
【００３９】
次いで、薬剤登録装置２０のＭＰＵ３１は、薬剤を登録する操作の開始を求める薬剤登録画面を表示させる（ステップＳ５）。ここで、図１０は、薬剤を登録する操作の開始を求める薬剤登録画面Ｇ３の一例を示す説明図である。薬剤を登録する操作の開始を求める薬剤登録画面Ｇ３は、図１０に示すように、薬剤のコードシンボルの読み取らせ方が表示される。また、薬剤登録画面Ｇ３は、印刷ボタンＢ３１と、中止ボタンＢ３２と、業務選択ボタンＢ３３とを備える。印刷ボタンＢ３１は、使用薬剤情報の薬剤が使用されたことを確定し、伝票を印字させる場合に押下するボタンである。中止ボタンＢ３２は、薬剤を登録する操作を中止する場合に押下するボタンである。業務選択ボタンＢ３３は、業務選択画面を表示させるボタンである。
【００４０】
次いで、薬剤登録装置２０のＭＰＵ３１は、薬剤コードの入力を検出するか否かを判定する（ステップＳ６）。薬剤コードの入力を検出した場合に（ステップＳ６；Ｙｅｓ）、薬剤登録装置２０のＭＰＵ３１は、入力された薬剤コードを使用薬剤情報に登録する（ステップＳ７）。
【００４１】
次いで、薬剤登録装置２０のＭＰＵ３１は、登録された薬剤コードを画面に表示し、画面を更新する（ステップＳ８）。ここで、図１１は、登録された薬剤が表示された薬剤登録画面Ｇ３の一例を示す説明図である。図１１に示す薬剤登録画面Ｇ３は、ＡＡＡ薬剤と、ＢＢＢ薬剤と、ＣＣＣ薬剤と、ＤＤＤ薬剤とが登録された状態を示している。
【００４２】
一方、薬剤コードの入力を検出しない場合に（ステップＳ６；Ｎｏ）、薬剤登録装置２０のＭＰＵ３１は、薬剤登録画面Ｇ３の印刷ボタンＢ３１の押下を検出するか否かを判定する（ステップＳ９）。
【００４３】
印刷ボタンＢ３１の押下を検出した場合に（ステップＳ９；Ｙｅｓ）、第３の入力手段である薬剤登録装置２０のＭＰＵ３１は、使用薬剤情報の薬剤が使用されたことを確定と判定して、使用薬剤情報を外部記憶装置３４の使用薬剤情報テーブルＴ２に記憶させる（ステップＳ１０）。具体的には、薬剤登録装置２０のＭＰＵ３１は、使用薬剤情報に登録された薬剤は、使用薬剤情報に関連付けられた基本情報の患者コードの患者に使用された薬剤であるとして記憶させる。
【００４４】
次いで、薬剤登録装置２０のＭＰＵ３１は、伝票を印字する（ステップＳ１１）。
【００４５】
一方、薬剤登録画面Ｇ３の印刷ボタンＢ３１の押下を検出しない場合に（ステップＳ９；Ｎｏ）、薬剤登録装置２０のＭＰＵ３１は、薬剤登録画面Ｇ３の中止ボタンＢ３２の押下を検出するか否かを判定する（ステップＳ１２）。
【００４６】
中止ボタンＢ３２の押下を検出しない場合に（ステップＳ１２；Ｎｏ）、薬剤登録装置２０のＭＰＵ３１は、ステップＳ６に戻る。
【００４７】
一方、中止ボタンＢ３２の押下を検出した場合に（ステップＳ１２；Ｙｅｓ）、薬剤登録装置２０のＭＰＵ３１は、保留確認画面を表示させる（ステップＳ１３）。ここで、図１２は、保留確認画面Ｇ４の一例を示す説明図である。第２の表示制御手段である保留確認画面Ｇ４は、中止ボタンＢ３２により薬剤コード及び薬剤使用量の入力を中止する入力がされた場合に、登録された使用薬剤情報を保留するか、又は破棄するかを選択させる画面である。保留確認画面Ｇ４は、図１２に示すように、「この登録を保留しますか？」とのメッセージを表示する。また、保留確認画面Ｇ４は、保留ボタンＢ４１と、破棄ボタンＢ４２とを備える。保留ボタンＢ４１は、登録された使用薬剤情報を保留する場合に押下するボタンである。破棄ボタンＢ４２は、登録された使用薬剤情報を破棄する場合に押下するボタンである。破棄ボタンＢ４２は、例えば、誤った薬剤登録操作が行われた場合などに使用される。
【００４８】
保留とは、手術などの処置が行われる前に、事前に薬剤登録を行うことである。具体的には、保留とは、使用薬剤情報の薬剤コードの薬剤が、患者コードの患者に使用された薬剤としての登録を保留して、使用薬剤情報テーブルＴ２に記憶させることである。患者コードの患者に使用された薬剤としての登録が確定されていないことから、保留された使用薬剤情報は、訂正することができる。
【００４９】
次いで、薬剤登録装置２０のＭＰＵ３１は、保留ボタンＢ４１の押下を検出するか否かを判定する（ステップＳ１４）。保留ボタンＢ４１の押下を検出した場合に（ステップＳ１４；Ｙｅｓ）、第３の入力手段である薬剤登録装置２０のＭＰＵ３１は、使用薬剤情報にかかる薬剤は使用が見込まれるものであるとして、使用された薬剤としての登録を保留する（ステップＳ１５）。具体的には、薬剤登録装置２０のＭＰＵ３１は、保留したことを示す伝票番号を０にして外部記憶装置３４の使用薬剤情報テーブルＴ２に記憶させる。
【００５０】
一方、保留ボタンＢ４１の押下を検出しない場合に（ステップＳ１４；Ｎｏ）、薬剤登録装置２０のＭＰＵ３１は、破棄ボタンＢ４２の押下を検出するか否かを判定する（ステップＳ１６）。破棄ボタンＢ４２の押下を検出しない場合に（ステップＳ１６；Ｎｏ）、薬剤登録装置２０のＭＰＵ３１は、ステップＳ１４に戻る。
【００５１】
一方、破棄ボタンＢ４２の押下を検出した場合に（ステップＳ１６；Ｙｅｓ）、第３の入力手段である薬剤登録装置２０のＭＰＵ３１は、使用薬剤情報と、使用薬剤情報に関連付けられた基本情報とを破棄、すなわち消去する（ステップＳ１７）。
【００５２】
次に、上述した実施形態にかかる薬剤登録装置２０のＭＰＵ３１が制御プログラムに従って実行する訂正処理について説明する。実施形態にかかる薬剤登録装置２０は、使用薬剤情報テーブルＴ２に保留された使用薬剤情報を呼び出し、訂正処理を実行する。なお、前提条件として保留された使用薬剤情報が備えられているものとする。図１３は、薬剤登録装置２０のＭＰＵ３１が制御プログラムに従って実行する訂正処理の流れを示すフローチャートである。
【００５３】
患者登録画面Ｇ２を表示させるまでの処理（ステップＳ２１〜ステップＳ２３）は、図７に示された薬剤登録処理に係る処理（ステップＳ１からステップＳ３）と同様であるため説明を省略する。
【００５４】
薬剤登録装置２０のＭＰＵ３１は、図９に示された患者登録画面Ｇ２において置数ボタンＢ２２やスキャナ２２から患者コードが入力され、次へボタンＢ２４の押下を検出するか否かを判定する（ステップＳ２４）。
【００５５】
患者コードが入力され、次へボタンＢ２４の押下を検出した場合に（ステップＳ２４；Ｙｅｓ）、入力された患者コードの基本情報に関連付けられた、保留された使用薬剤情報がある場合に、薬剤登録装置２０のＭＰＵ３１は、保留継続画面を表示する（ステップＳ２５）。
【００５６】
具体的には、薬剤登録装置２０のＭＰＵ３１は、入力された患者コードが、外部記憶装置３４の基本情報テーブルＴ１に登録された患者コードと同一であるか否かを判定する。そして、同一の患者コードを有する基本情報が基本情報テーブルＴ１に含まれている場合に、薬剤登録装置２０のＭＰＵ３１は、基本情報に関連付けられている使用薬剤情報が保留されているか否かを判定する。そして、使用薬剤情報が保留されている場合に、第１の表示制御手段である薬剤登録装置２０のＭＰＵ３１は、保留継続画面を表示する。
【００５７】
ここで、図１４は、保留継続画面Ｇ５の一例を示す説明図である。保留継続画面Ｇ５は、保留された使用薬剤情報を継続して薬剤登録処理を行うか否かを確認する画面である。図１４に示す保留継続画面Ｇ５は、「前回の登録が保留されています。保留された登録を続きから行いますか？」とのメッセージを表示して継続するか否かを確認している。そして、保留継続画面Ｇ５は、いいえボタンＢ５１と、はいボタンＢ５２とを備える。いいえボタンＢ５１は、保留した使用薬剤情報を継続しない場合に押下するボタンである。はいボタンＢ５２は、保留した使用薬剤情報を継続する場合に押下するボタンである。
【００５８】
薬剤登録装置２０のＭＰＵ３１は、保留継続画面Ｇ５のいいえボタンＢ５１の押下を検出するか否かを判定する（ステップＳ２６）。いいえボタンＢ５１の押下を検出した場合に（ステップＳ２６；Ｙｅｓ）、薬剤登録装置２０のＭＰＵ３１は、使用薬剤情報と、使用薬剤情報に関連付けられた基本情報とを破棄する（ステップＳ２７）。次いで、薬剤登録装置２０のＭＰＵ３１は、薬剤登録画面Ｇ３を表示する（ステップＳ２８）。これにより、新たな薬剤登録処理が行われる。
【００５９】
一方、保留継続画面Ｇ５のいいえボタンＢ５１の押下を検出しない場合に（ステップＳ２６；Ｎｏ）、薬剤登録装置２０のＭＰＵ３１は、はいボタンＢ５２の押下を検出するか否かを判定する（ステップＳ２９）。はいボタンＢ５２の押下を検出しない場合に（ステップＳ２９；Ｎｏ）、薬剤登録装置２０のＭＰＵ３１は、ステップＳ２６に戻る。一方、はいボタンＢ５２の押下を検出した場合に（ステップＳ２９；Ｙｅｓ）、薬剤登録装置２０のＭＰＵ３１は、ステップＳ３３に移行して、後述する履歴詳細画面に保留した使用薬剤情報が表示される。
【００６０】
一方、患者登録画面Ｇ２の次へボタンＢ２４の押下を検出しない場合に（ステップＳ２４；Ｎｏ）、薬剤登録装置２０のＭＰＵ３１は、保留検索ボタンＢ２３の押下を検出するか否かを判定する（ステップＳ３０）。保留検索ボタンＢ２３の押下を検出した場合に（ステップＳ３０；Ｙｅｓ）、薬剤登録装置２０のＭＰＵ３１は、履歴確認画面を表示する（ステップＳ３１）。
【００６１】
ここで、図１５は、履歴確認画面Ｇ６の一例を示す説明図である。履歴確認画面Ｇ６は、使用薬剤情報や、保留された使用薬剤情報を検索する操作の入力を受け付ける画面である。そして、履歴確認画面Ｇ６は、保留された使用薬剤情報を検索する操作が入力された場合に、保留された使用薬剤情報の一覧を表示する。履歴確認画面Ｇ６は、検索ボタンＢ６１と、保留検索ボタンＢ６２と、表示ボタンＢ６３と、日付指定開始領域Ｇ６１と、日付指定終了領域Ｇ６２と、一覧表示領域Ｇ６３と、を備える。
【００６２】
検索ボタンＢ６１は、使用薬剤情報を検索する操作を入力する場合に押下するボタンである。第４の入力手段である保留検索ボタンＢ６２は、保留された使用薬剤情報を検索する操作を入力する場合に押下するボタンである。保留検索ボタンＢ６２は、保留された使用薬剤情報を検索する点が、検索ボタンＢ６１と異なっている。保留検索ボタンＢ６２は、外部記憶装置３４に保留した使用薬剤情報がある場合に、選択可能となる。外部記憶装置３４に保留した使用薬剤情報がない場合には、保留検索ボタンＢ６２は、選択不可能となる。具体的には、保留検索ボタンＢ６２は、グレーアウトなどにより選択不可能となる。表示ボタンＢ６３は、一覧表示領域Ｇ６３に表示された使用薬剤情報の一覧から選択された使用薬剤情報の詳細を表示する場合に押下するボタンである。
【００６３】
日付指定開始領域Ｇ６１は、検索ボタンＢ６１及び保留検索ボタンＢ６２において使用薬剤情報を検索する場合に、検索条件である日付指定の開始日時を表示する領域である。日付指定終了領域Ｇ６２は、検索ボタンＢ６１及び保留検索ボタンＢ６２において使用薬剤情報を検索する場合に、検索条件である日付指定の終了日時を表示する領域である。一覧表示領域Ｇ６３は、日付指定開始領域Ｇ６１及び日付指定終了領域Ｇ６２に表示された日付指定の条件を満たす使用薬剤情報の一覧を表示する領域である。更新日時が日付指定の条件を満たす場合に使用薬剤情報は表示される。図１５に示す一覧表示領域Ｇ６３は、保留検索ボタンＢ６２が押下され、保留された使用薬剤情報が表示された状態を示している。そして、図１５に示す一覧表示領域Ｇ６３は、６０歳女性が選択された状態を示している。
【００６４】
なお、患者登録画面Ｇ２の保留検索ボタンＢ２３が押下された場合には、使用された薬剤としての登録を保留された使用薬剤情報の一覧の表示が求められている。そこで、第４の入力手段である患者登録画面Ｇ２の保留検索ボタンＢ２３が押下された場合には、薬剤登録装置２０のＭＰＵ３１は、履歴確認画面Ｇ６を表示する際に、一覧表示領域Ｇ６３に保留された使用薬剤情報の一覧を表示する。
【００６５】
次いで、薬剤登録装置２０のＭＰＵ３１は、一覧表示領域Ｇ６３に表示された使用薬剤情報が選択され、表示ボタンＢ６３の押下を検出するか否かを判定する（ステップＳ３２）。表示ボタンＢ６３の押下を検出しない場合に（ステップＳ３２；Ｎｏ）、薬剤登録装置２０のＭＰＵ３１は、待機する。一方、表示ボタンＢ６３の押下を検出した場合に（ステップＳ３２；Ｙｅｓ）、薬剤登録装置２０のＭＰＵ３１は、履歴詳細画面を表示させる（ステップＳ３３）。
【００６６】
ここで、図１６は、履歴詳細画面Ｇ７の一例を示す説明図である。履歴詳細画面Ｇ７は、選択された使用薬剤情報の詳細を表示した画面である。履歴詳細画面Ｇ７は、使用薬剤情報に登録された薬剤コードの薬剤と、薬剤の数量とを表示する。また、履歴詳細画面Ｇ７は、訂正ボタンＢ７１を備える。訂正ボタンＢ７１は、表示された使用薬剤情報を訂正する場合に押下するボタンである。図１６に示す履歴詳細画面Ｇ７は、ＡＡＡ薬剤と、ＢＢＢ薬剤と、ＣＣＣ薬剤とについて、各１本ずつ登録された使用薬剤情報が表示された状態を示している。
【００６７】
次いで、薬剤登録装置２０のＭＰＵ３１は、履歴詳細画面Ｇ７の訂正ボタンＢ７１の押下を検出するか否かを判定する（ステップＳ３４）。訂正ボタンＢ７１の押下を検出しない場合に（ステップＳ３４；Ｎｏ）、薬剤登録装置２０のＭＰＵ３１は、待機する。一方、訂正ボタンＢ７１の押下を検出した場合に（ステップＳ３４；Ｙｅｓ）、薬剤登録装置２０のＭＰＵ３１は、履歴訂正画面を表示する（ステップＳ３５）。
【００６８】
ここで、図１７は、履歴訂正画面Ｇ８の一例を示す説明図である。履歴訂正画面Ｇ８は、使用薬剤情報を訂正する画面である。すなわち、履歴訂正画面Ｇ８は、薬剤コードの追加登録や、登録された薬剤コードの削除を行う画面である。履歴訂正画面Ｇ８は、削除ボタンＢ８１と、印刷ボタンＢ８２とを備える。削除ボタンＢ８１は、登録された薬剤コードを削除する場合に押下するボタンである。薬剤コードは、履歴訂正画面Ｇ８に表示された薬剤が選択され、削除ボタンＢ８１が押下されると削除される。そして、薬剤コードは、スキャナ２２を用いて読み取るなどの方法により追加される。また、履歴訂正画面Ｇ８は、伝票を印字する印刷ボタンＢ８２を備える。
【００６９】
一方、患者登録画面Ｇ２の保留検索ボタンＢ２３の押下を検出しない場合に（ステップＳ３０；Ｎｏ）、薬剤登録装置２０のＭＰＵ３１は、業務選択ボタンＢ２１の押下を検出するか否かを判定する（ステップＳ３６）。業務選択ボタンＢ２１の押下を検出しない場合に（ステップＳ３６；Ｎｏ）、薬剤登録装置２０のＭＰＵ３１は、ステップＳ２４に戻る。
【００７０】
一方、業務選択ボタンＢ２１の押下を検出した場合に（ステップＳ３６；Ｙｅｓ）、薬剤登録装置２０のＭＰＵ３１は、業務選択画面を表示する（ステップＳ３７）。ここで、図１８は、業務選択画面Ｇ９の一例を示す説明図である。業務選択画面Ｇ９は、薬剤登録装置２０に備えられた機能の一覧から所望の機能を選択する画面である。業務選択画面Ｇ９は、履歴確認ボタンＢ９１と、薬剤登録ボタンＢ９２とを備える。履歴確認ボタンＢ９１は、前述の履歴詳細画面Ｇ７を表示させる場合に押下するボタンである。薬剤登録ボタンＢ９２は、薬剤登録業務に戻る場合に押下するボタンである。
【００７１】
業務選択画面Ｇ９の履歴確認ボタンＢ９１の押下を検出するか否かを判定する（ステップＳ３８）。履歴確認ボタンＢ９１の押下を検出した場合に（ステップＳ３８；Ｙｅｓ）、薬剤登録装置２０のＭＰＵ３１は、ステップＳ３１へ移行する。
【００７２】
一方、履歴確認ボタンＢ９１の押下を検出しない場合に（ステップＳ３８；Ｎｏ）、薬剤登録装置２０のＭＰＵ３１は、薬剤登録ボタンＢ９２の押下を検出するか否かを判定する（ステップＳ３９）。薬剤登録ボタンＢ９２の押下を検出しない場合に（ステップＳ３９；Ｎｏ）、薬剤登録装置２０のＭＰＵ３１は、待機する。
【００７３】
一方、薬剤登録ボタンＢ３８の押下を検出した場合に（ステップＳ３９；Ｙｅｓ）、薬剤登録装置２０のＭＰＵ３１は、ステップＳ２３に移行し、薬剤登録処理に戻る。
【００７４】
以降の処理（ステップＳ４０〜ステップＳ５１）は、薬剤登録処理に係る処理（ステップＳ６からステップＳ１７）と同様であるため説明を省略する。
【００７５】
以上のように、本実施形態によれば、薬剤登録装置２０は、入力部３１１から患者コードの入力を受け付ける。同様に、入力部３１１は、薬剤コードの入力を受け付ける。そして、使用薬剤情報の入力が完了し、患者コードの患者に使用されたことを確定する入力がされた場合に、記憶制御部３１３は、外部記憶装置３４の使用薬剤情報テーブルＴ２に記憶させる。一方、使用薬剤情報の入力を中止し、患者コードの患者に使用された薬剤としての登録を保留する入力がされた場合に、記憶制御部３１３は、外部記憶装置３４の使用薬剤情報テーブルＴ２に使用された薬剤としての登録を保留して記憶させる。このように、薬剤登録装置２０は、使用されたことを確定せずに、保留することが可能であることから、手術で使用される薬剤が分かっているような場合には、使用に先立って薬剤を事前に登録することが可能となる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７７】
なお、上記実施形態では、伝票番号を０にすることで、使用された薬剤としての登録を保留された使用薬剤情報であるか否かを識別している。しかし、保留された使用薬剤情報であるか否かの識別方法は、これに限らない。例えば、保留されたことを示すフラグを設けることで識別してもよい。または、保留された使用薬剤情報は、専用のテーブルに記憶させる方法であってもよい。
【００７８】
なお、上記実施形態では、基本情報テーブルＴ１及び使用薬剤情報テーブルＴ２は、薬剤登録装置２０の外部記憶装置３４に備えられていると説明した。しかし、基本情報テーブルＴ１及び使用薬剤情報テーブルＴ２は、薬剤登録装置２０以外の装置に備えられていてもよい。例えば、電子カルテサーバ１１や、薬剤部サーバ１９などであってもよい。または、それ以外のサーバ装置であってもよい。
【００７９】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００８０】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００８１】
２０    薬剤登録装置
３１    ＭＰＵ
３１１  入力部
３１２  登録部
３１３  記憶制御部
３１４  操作入力部
３１５  表示制御部
３１６  印字制御部
３４    外部記憶装置
Ｔ１    基本情報テーブル
Ｔ２    使用薬剤情報テーブル
【先行技術文献】
【特許文献】
【００８２】
【特許文献１】特許４３９８２１０号公報
【図１】
2015194953.tif 000003
【図２】
2015194953.tif 000004
【図３】
2015194953.tif 000005
【図４】
2015194953.tif 000006
【図５】
2015194953.tif 000007
【図６】
2015194953.tif 000008
【図７】
2015194953.tif 000009
【図８】
2015194953.tif 000010
【図９】
2015194953.tif 000011
【図１０】
2015194953.tif 000012
【図１１】
2015194953.tif 000013
【図１２】
2015194953.tif 000014
【図１３】
2015194953.tif 000015
【図１４】
2015194953.tif 000016
【図１５】
2015194953.tif 000017
【図１８】
2015194953.tif 000018
【図１６】
2015194953.tif 000019
【図１７】
2015194953.tif 000020